(57)【要約】【課題】  ボリューム減衰量誤差を低減し、且つスイッチ数及びラダー抵抗数を削減することによりチップ面積を縮小した電子ボリューム回路を実現する。【解決手段】  電子ボリューム回路１は、ラダー及びスイッチをそれぞれ１５個有する１段目のラダーボリューム部２、ラダー抵抗及びスイッチをそれぞれ６個有する２段目のラダーボリューム部３、入力端子４、出力端子５、ＣＯＭ端子６、及び出力負荷抵抗ＲＬから構成されている。そして、１段目のラダーボリューム部２及び２段目のラダーボリューム部３は、入力端子４と出力端子５の間に縦続接続され、出力負荷抵抗ＲＬは、出力端子５とＣＯＭ端子６の間に設けられ、１段目のラダーボリューム部２の最終段のラダー抵抗Ｒ１７ｂ及び２段目のラダーボリューム部３の最終段のラダー抵抗Ｒ２５は、ＣＯＭ端子６に接続されている。  【選択図】  図１
2005117489.tif 000002
【特許請求の範囲】
【請求項１】
入力信号が入力される入力端子と、
前記入力端子に接続され、並列に接続されたラダー抵抗を橋絡して小さなステップ幅でボリューム減衰量を調整する複数のスイッチを有する１段目のラダーボリューム部と、
前記１段目のラダーボリューム部に接続され、並列に接続されたラダー抵抗を橋絡して前記小さなステップ幅より大きなステップ幅でボリューム減衰量を調整する複数のスイッチを有する２段目のラダーボリューム部と、
前記２段目のラダーボリューム部に接続され、前記１段目及び２段目のラダーボリューム部から出力される出力信号を入力する出力端子と、
を具備し、
前記１段目のラダーボリューム部及び前記２段目のラダーボリューム部は、前記入力端子と前記出力端子の間に縦続接続され、前記１段目のラダーボリューム部のスイッチのうちいずれか１つをオンさせ、前記２段目のラダーボリューム部のスイッチのうちいずれか１つをオンさせることにより所望のボリューム減衰量まで減衰させた出力信号を出力することを特徴とする電子ボリューム回路。
【請求項２】
前記１段目のラダーボリューム部は、１ｄＢステップ幅に抵抗値の異なるラダー抵抗及びスイッチをそれぞれ複数有し、前記２段目のラダーボリューム部は、１ｄＢステップ幅より大きなステップ幅でボリューム減衰量を調整することを特徴とする請求項１記載の電子ボリューム回路。
【請求項３】
出力負荷抵抗は、前記出力端子とＣＯＭ端子の間に設けられ、このＣＯＭ端子は、前記１段目及び２段目のラダーボリューム部の最終段のラダー抵抗に接続され、接地又は１／２高電位側電源に終端されていることを特徴とする請求項２又は３記載の電子ボリューム回路。
【請求項４】
入力信号が入力される入力端子と、
前記入力端子に接続され、並列に接続されたラダー抵抗を橋絡して小さなステップ幅でボリューム減衰量を調整する複数のスイッチを有する１段目のラダーボリューム部と、
前記１段目のラダーボリューム部に接続され、並列に接続されたラダー抵抗を橋絡して前記小さなステップ幅より大きなステップ幅でボリューム減衰量を調整する複数のスイッチを有する２段目のラダーボリューム部と、
前記２段目のラダーボリューム部に接続され、前記１段目及び２段目のラダーボリューム部から出力される出力信号を入力する出力端子と、
前記２段目のラダーボリューム部の最終段のラダー抵抗に並列に接続された第１及び第２のスイッチと、
前記第１のスイッチに接続された抵抗と、
前記１段目のラダーボリューム部の最終段のラダー抵抗、前記抵抗、及び前記第２のスイッチに接続されたＣＯＭ端子と、
を具備し、
前記１段目のラダーボリューム部及び前記２段目のラダーボリューム部は、前記入力端子と前記出力端子の間に縦続接続され、前記第１のスイッチ及び前記抵抗は、前記２段目のラダーボリューム部の最終段のラダー抵抗と前記ＣＯＭ端子の間に縦続接続され、前記１段目のラダーボリューム部のスイッチのうちいずれか１つをオンさせ、前記２段目のラダーボリューム部のスイッチのうちいずれか１つをオンさせ、前記第１又は第２のスイッチのうちいずれか一方をオンさせることにより所望のボリューム減衰量まで減衰させた出力信号を出力することを特徴とする電子ボリューム回路。
【請求項５】
前記１段目のラダーボリューム部は、１ｄＢステップ幅でボリューム減衰量を調整し、前記２段目のラダーボリューム部は、１ｄＢステップ幅より大きなステップ幅でボリューム減衰量を調整することを特徴とする請求項４記載の電子ボリューム回路。
【請求項６】
出力負荷抵抗は、前記出力端子と前記ＣＯＭ端子の間に設けられ、前記ＣＯＭ端子は、接地又は１／２高電位側電源に終端されていることを特徴とする請求項４又は５記載の電子ボリューム回路。
【請求項７】
入力信号が入力される入力端子と、
前記入力端子に接続され、並列に接続されたラダー抵抗を橋絡して小さなステップ幅でボリューム減衰量を調整する複数のスイッチを有する１段目のラダーボリューム部と、
前記１段目のラダーボリューム部に接続され、並列に接続されたラダー抵抗を橋絡して前記小さなステップ幅より大きなステップ幅でボリューム減衰量を調整する複数のスイッチを有する２段目のラダーボリューム部と、
前記２段目のラダーボリューム部に接続され、前記１段目及び２段目のラダーボリューム部から出力される出力信号を入力する出力端子と、
前記出力端子に接続された第1の出力負荷抵抗と、
前記第1の出力負荷抵抗に接続された第２の出力負荷抵抗と、
前記第２の出力負荷抵抗に接続され、前記２段目のラダーボリューム部の１番目のスイッチと同じ動作をする第１のスイッチと、
前記第1の出力負荷抵抗と前記第２の出力負荷抵抗の間に接続された第２のスイッチと、
前記１段目及び２段目のラダーボリューム部の最終段のラダー抵抗、前記第１のスイッチ、及び前記第２のスイッチに接続されたＣＯＭ端子と、
を具備し、
前記１段目のラダーボリューム部及び前記２段目のラダーボリューム部は、前記入力端子と前記出力端子の間に縦続接続され、前記第1の出力負荷抵抗、前記第２の出力負荷抵抗、及び第１のスイッチは、前記出力端子と前記ＣＯＭ端子の間に縦続接続され、前記第１及び第２のスイッチは、前記第1の出力負荷抵抗と前記ＣＯＭ端子の間に並列接続され、前記１段目のラダーボリューム部のスイッチのうちいずれか１つをオンさせ、前記２段目のラダーボリューム部のスイッチのうちいずれか１つをオンさせ、前記第1及び第２のスイッチのいずれか一方をオンさせることにより所望のボリューム減衰量まで減衰させた出力信号を出力することを特徴とする電子ボリューム回路。
【請求項８】
前記１段目のラダーボリューム部は、１ｄＢステップ幅でボリューム減衰量を調整し、前記２段目のラダーボリューム部は、１ｄＢステップ幅より大きなステップ幅でボリューム減衰量を調整することを特徴とする請求項７記載の電子ボリューム回路。
【請求項９】
前記ＣＯＭ端子は、接地又は１／２高電位側電源に終端されていることを特徴とする請求項７又は８記載の電子ボリューム回路。
【発明の詳細な説明】
【技術分野】
【０００１】
本発明は、ボリューム減衰量誤差を低減し、且つスイッチ数及びラダー抵抗数を削減することによりチップ面積を縮小した電子ボリューム回路に関する。
【背景技術】
【０００２】
ミニコンポ、ＴＶ等のＡＶ製品に使用される電子ボリュームには、抵抗ラダー式の電子ボリューム回路が多用されている。この種の電子ボリューム回路としては、図１０に示すものが知られている（例えば、特許文献１参照。）。図１０は、電子ボリューム回路を示す回路構成図である。
【０００３】
図１０に示すように、この特許文献１に開示された電子ボリューム回路１０１は、ラダー抵抗（Ｒ１００〜Ｒ１８０）及びスイッチ（Ｓ１００〜Ｓ１８０）をそれぞれ８１個有するラダーボリューム部１０２、入力端子１０４、出力端子１０５、及びＣＯＭ端子１０６から構成されている。
【０００４】
ラダーボリューム部１０２は、入力端子１０４と出力端子１０５の間に設けられ、並列に接続された抵抗を橋絡して１ｄＢという比較的小さいステップ幅でボリューム減衰量を調整する複数のスイッチが設けられている。そして、最終段のラダー抵抗Ｒ１８０はＣＯＭ端子１０６に接続され、このＣＯＭ端子１０６は、接地（アナロググランド）又は１／２Ｖｃｃ（高電位側電源）に接続されている。
【０００５】
この電子ボリューム回路１０１は、ラダーボリューム部１０２のスイッチＳ１００〜Ｓ１８０のうちいずれか１つをオンさせて、所望のボリューム減衰量まで減衰させた信号を出力端子１０５に出力させる回路である。
【０００６】
ここで、すべてのスイッチは、図示していないが高入力インピーダンスを有するバッファアンプの入力に直列接続され、スイッチのオン抵抗がこのバッファアンプの入力インピーダンスに比べて十分小さいので、良好な入出力間の利得及び歪率特性を得ることができる。
【特許文献１】特開平１１−１７７３７１号公報（頁５、図３）
【発明の開示】
【発明が解決しようとする課題】
【０００７】
上述した電子ボリューム回路においては、１ｄＢという比較的小さいステップ幅でボリューム減衰量を調整するために、スイッチ及びラダー抵抗がそれぞれ複数個（８１個づつ）設けられているので、電子ボリューム回路のチップ面積が増大する。そのため電子ボリューム回路を内蔵する半導体集積回路のチップコストが上昇するという問題点がある。
【０００８】
本発明は、上記問題に鑑みてなされたもので、その目的とするところは、ボリューム減衰量誤差を低減し、且つスイッチ数及びラダー抵抗数を削減することによりチップ面積を縮小した電子ボリューム回路を提供することにある。
【課題を解決するための手段】
【０００９】
上記目的を達成するために、本発明の一態様の電子ボリューム回路は、入力信号が入力される入力端子と、前記入力端子に接続され、並列に接続されたラダー抵抗を橋絡して小さなステップ幅でボリューム減衰量を調整する複数のスイッチを有する１段目のラダーボリューム部と、前記１段目のラダーボリューム部に接続され、並列に接続されたラダー抵抗を橋絡して前記小さなステップ幅より大きなステップ幅でボリューム減衰量を調整する複数のスイッチを有する２段目のラダーボリューム部と、前記２段目のラダーボリューム部に接続され、前記１段目及び２段目のラダーボリューム部から出力される出力信号を入力する出力端子と
を具備し、前記１段目のラダーボリューム部及び前記２段目のラダーボリューム部は、前記入力端子と前記出力端子の間に縦続接続され、前記１段目のラダーボリューム部のスイッチのうちいずれか１つをオンさせ、前記２段目のラダーボリューム部のスイッチのうちいずれか１つをオンさせることにより所望のボリューム減衰量まで減衰させた出力信号を出力することを特徴とする。
【００１０】
更に、上記目的を達成するために、本発明の他態様の電子ボリューム回路は、入力信号が入力される入力端子と、前記入力端子に接続され、並列に接続されたラダー抵抗を橋絡して小さなステップ幅でボリューム減衰量を調整する複数のスイッチを有する１段目のラダーボリューム部と、前記１段目のラダーボリューム部に接続され、並列に接続されたラダー抵抗を橋絡して前記小さなステップ幅より大きなステップ幅でボリューム減衰量を調整する複数のスイッチを有する２段目のラダーボリューム部と、前記２段目のラダーボリューム部に接続され、前記１段目及び２段目のラダーボリューム部から出力される出力信号を入力する出力端子と、前記２段目のラダーボリューム部の最終段のラダー抵抗に並列に接続された第１及び第２のスイッチと、前記第１のスイッチに接続された抵抗と、前記１段目のラダーボリューム部の最終段のラダー抵抗、前記抵抗、及び前記第２のスイッチに接続されたＣＯＭ端子とを具備し、前記１段目のラダーボリューム部及び前記２段目のラダーボリューム部は、前記入力端子と前記出力端子の間に縦続接続され、前記第１のスイッチ及び前記抵抗は、前記２段目のラダーボリューム部の最終段のラダー抵抗と前記ＣＯＭ端子の間に縦続接続され、前記１段目のラダーボリューム部のスイッチのうちいずれか１つをオンさせ、前記２段目のラダーボリューム部のスイッチのうちいずれか１つをオンさせ、前記第１又は第２のスイッチのうちいずれか一方をオンさせることにより所望のボリューム減衰量まで減衰させた出力信号を出力することを特徴とする。
【発明の効果】
【００１１】
本発明によれば、ボリューム減衰量誤差を低減し、且つスイッチ数及びラダー抵抗数を削減した電子ボリューム回路を提供することができる。
【発明を実施するための最良の形態】
【００１２】
以下本発明の実施例について図面を参照しながら説明する。
【実施例１】
【００１３】
まず、本発明の実施例１に係わる電子ボリューム回路について、図面を参照して説明する。図１は電子ボリューム回路を示す回路構成図である。
【００１４】
図１に示すように、電子ボリューム回路１は、ラダー抵抗（Ｒ１０、Ｒ１１ａ、Ｒ１１ｂ〜Ｒ１６ｂ、Ｒ１７ａ、Ｒ１７ｂ）及びスイッチ（Ｓ１０、Ｓ１１ａ、Ｓ１１ｂ、Ｓ１２ａ〜Ｓ１６ｂ、Ｓ１７ａ、Ｓ１７ｂ）をそれぞれ１５個有する１段目のラダーボリューム部２、ラダー抵抗（Ｒ２０、Ｒ２１、Ｒ２２〜Ｒ２４、Ｒ２５）及びスイッチ（Ｓ２０、Ｓ２１、Ｓ２２〜Ｓ２４、Ｓ２５）をそれぞれ６個有する２段目のラダーボリューム部３、入力端子４、出力端子５、ＣＯＭ端子６、及び出力負荷抵抗ＲＬから構成されている。
【００１５】
そして、１段目のラダーボリューム部２及び２段目のラダーボリューム部３は、入力端子４と出力端子５の間に縦続接続され、出力負荷抵抗ＲＬは、出力端子５とＣＯＭ端子６の間に設けられ、１段目のラダーボリューム部２の最終段のラダー抵抗Ｒ１７ｂ及び２段目のラダーボリューム部３の最終段のラダー抵抗Ｒ２５は、ＣＯＭ端子６に接続されている。
【００１６】
１段目のラダーボリューム部２には、並列に接続された１段目のラダー抵抗を橋絡して比較的小さいステップ幅で、０ｄＢから−７ｄＢの範囲のボリューム減衰量を調整する１段目のスイッチが複数設けられている。ここでは、１ｄＢステップ幅に、抵抗値の異なる抵抗及びスイッチがそれぞれ２個づつ設けられている。
【００１７】
一方、２段目のラダーボリューム部３には、並列に接続された２段目のラダー抵抗を橋絡して比較的大きな８ｄＢステップ幅で、０ｄＢから−４０ｄＢの範囲のボリューム減衰量を調整する２段目のスイッチが複数設けられている。
【００１８】
ここで、１段目のラダー抵抗（Ｒ１０、Ｒ１１ａ、Ｒ１１ｂ〜Ｒ１６ｂ、Ｒ１７ａ、Ｒ１７ｂ）の総抵抗値は、２０ＫΩに、２段目のラダー抵抗（Ｒ２０、Ｒ２１、Ｒ２２〜Ｒ２４、Ｒ２５）の総抵抗値は、５０ＫΩに、出力負荷抵抗ＲＬの抵抗値は、１００ＫΩにそれぞれ設定されている。
【００１９】
この電子ボリューム回路１は、１段目のラダーボリューム部２のスイッチ（Ｓ１０、Ｓ１１ａ、Ｓ１１ｂ、Ｓ１２ａ〜Ｓ１６ｂ、Ｓ１７ａ、Ｓ１７ｂ）のうちどれかを１つオンさせ、２段目のラダーボリューム部３のスイッチ（Ｓ２０、Ｓ２１、Ｓ２２〜Ｓ２４、Ｓ２５）のうちどれかを１つオンさせることにより、所望のボリューム減衰量まで減衰させた信号を出力端子５に出力させる回路である。
【００２０】
次に、電子ボリュームの等価回路図について説明する。図２は電子ボリュームの等価回路図である。
【００２１】
図２に示すように、電子ボリュームの等価回路１０は、図１で示した１段目のラダーボリューム部２が１段目の第１の可変抵抗Ｒ１及び１段目の第２の可変抵抗Ｒ２で表され、図１で示した２段目のラダーボリューム部３が２段目の第１の可変抵抗Ｒ３及び２段目の第２の可変抵抗Ｒ４で表される。
【００２２】
そして、１段目の第１の可変抵抗Ｒ１は、入力端子４に接続され、２段目の第１の可変抵抗Ｒ３は、第１の可変抵抗Ｒ１と１段目の第２の可変抵抗Ｒ２の間に接続され、出力端子５は、２段目の第１の可変抵抗Ｒ３と２段目の第２の可変抵抗Ｒ４の間に接続されている。出力負荷抵抗ＲＬは、出力端子５とＣＯＭ端子６の間に設けられている。１段目の第２の可変抵抗Ｒ２、２段目の第２の可変抵抗Ｒ４、出力負荷抵抗ＲＬ、及びＣＯＭ端子６は、接地（グランド）７に接地されている。なお、ＣＯＭ端子６を接地（グランド）７に接地しているが、１／２Ｖｃｃ（高電位側電源）に接続してもよい。
【００２３】
ここで、２段目のラダー抵抗及び出力負荷抵抗ＲＬで構成される２段目の総抵抗（Ｒｔ２）は、
Rt2＝R3＋（R4×RL）／（R4＋RL）・・・・・・・・・・・・・・・・・・・・・・・・（式１）
で表される。そして、１段目のラダー抵抗、２段目のラダー抵抗、及び出力負荷抵抗ＲＬで構成される総抵抗値（Ｒｔ）は、
Rt＝R1＋（R2×Rt2）／（R2＋Rt2）・・・・・・・・・・・・・・・・・・・・・・・・（式２）
で表される。続いて、１段目のラダー抵抗のボリューム減衰量比（Ｒｔｐ１）は、
Rtp1＝（R2×Rt2）／（R2＋Rt2）・・・・・・・・・・・・・・・・・・・・・・・・・・（式３）
で表される。一方、２段目のラダー抵抗のボリューム減衰量比（Ｒｔｐ２）は、
Rtp2＝（R4×RL）／（R4×RL）・・・・・・・・・・・・・・・・・・・・・・・・・・・・（式４）
で表される。そして、出力端子５でのボリューム減衰量（ＧＶ）は、１段目のボリューム減衰量と２段目のボリューム減衰量の和であり、ボリューム減衰量（ＧＶ）は、
GV＝２０×Log［（Rtp1／Rt）×（Rtp2／Rt2）］・・・・・・・・・・・・・・・（式５）
で表される。
【００２４】
次に、電子ボリューム回路のボリューム減衰量設定値とボリューム減衰量誤差の関係について説明する。図３は電子ボリューム回路１のボリューム減衰量設定値とボリューム減衰量誤差の関係を示す特性図である。ここで、ボリューム減衰量誤差はボリューム減衰量設定値と式（５）で表されるボリューム減衰量（ＧＶ）の差から求めることができる。
【００２５】
この特性図から明白なように、電子ボリューム回路１のボリューム減衰量誤差は、ボリューム減衰量設定値が−１４ｄＢで最大値を有するが、その値は−０．０６８ｄＢと小さく、ボリューム減衰量設定値が０〜−８ｄＢ及び−１６〜−４７ｄＢの範囲では、−０．０１ｄＢ以下である。このことから、電子ボリューム回路１は、ボリューム減衰量設定値に対するボリューム減衰量の関係において良好なリニアリティー特性を有していることがわかる。
【００２６】
上述したように、本実施例の電子ボリューム回路では、入力端子４と出力端子５の間に、比較的小さいステップ幅でボリューム減衰量を調整する１段目のラダーボリューム部２及び比較的大きな８ｄＢステップ幅でボリューム減衰量を調整する２段目のラダーボリューム部３が縦続接続され、１段目のラダーボリューム部２には１ｄＢステップ幅に抵抗値の異なる２つのラダー抵抗及び２つのスイッチが設けられ、しかも同一ステップ幅に設けられた２つのラダー抵抗は、上段の抵抗よりも下段の抵抗を大きい値に設定しているので、ボリューム減衰量設定値に対するボリューム減衰量誤差を小さくすることができる。
【００２７】
更に、１段のラダーボリューム部構成で、比較的小さなステップ幅である１ｄＢステップ幅の範囲で減衰量を調整する電子ボリューム回路に比べて、ラダー抵抗及びスイッチの数を１／２以下に削減することができるので電子ボリューム回路のチップ面積を縮小できる。
【００２８】
従って、ボリューム減衰量誤差を低減でき、且つ電子ボリューム回路を内蔵する半導体集積回路のチップコストを低減することができる。
【実施例２】
【００２９】
次に、本発明の実施例２に係わる電子ボリューム回路について、図面を参照して説明する。図４は電子ボリューム回路を示す回路構成図である。
【００３０】
図４に示すように、電子ボリューム回路１ａは、７個のラダー抵抗（ＲＸ１０、ＲＸ１１、ＲＸ１２〜Ｒ１５、Ｒ１６）及び８個のスイッチ（ＳＸ１０、ＳＸ１１、ＳＸ１２、ＳＸ１３〜ＳＸ１５、ＳＸ１６、ＳＸ１７）を有する１段目のラダーボリューム部２ａ、１３個のラダー抵抗（ＲＹ２０、ＲＹ２１〜ＲＹ３２）及び１４個のスイッチ（ＳＹ２０、ＳＹ２１、ＳＹ２２〜ＳＹ３２、ＳＹ３３）を有する２段目のラダーボリューム部３ａ、入力端子４、出力端子５、ＣＯＭ端子６、出力負荷抵抗ＲＬ、スイッチＳ４１、Ｓ４２、及び抵抗Ｒｚから構成されている。
【００３１】
そして、１段目のラダーボリューム部２ａ及び２段目のラダーボリューム部３ａは、入力端子４と出力端子５の間に縦続接続され、スイッチＳ４１及びＳ４２は、２段目のラダーボリューム部３ａの最終段のラダー抵抗ＲＹ３２とＣＯＭ端子６の間に並列接続され、スイッチＳ４１及び抵抗Ｒｚは、２段目のラダーボリューム部３ａの最終段のラダー抵抗ＲＹ３２とＣＯＭ端子６の間に縦続接続されている。そして、１段目のラダーボリューム部２の最終段のラダー抵抗ＲＸ１６、抵抗Ｒｚ、及びスイッチＳ４２は、ＣＯＭ端子６に接続されている。
【００３２】
１段目のラダーボリューム部２ａには、並列に接続された１段目のラダー抵抗を橋絡して比較的小さい１ｄＢステップ幅で、０ｄＢから−７ｄＢの範囲のボリューム減衰量を調整する１段目のスイッチが複数設けられている。
【００３３】
一方、２段目のラダーボリューム部３ａには、並列に接続された２段目のラダー抵抗を橋絡して比較的大きな８ｄＢステップ幅で、０ｄＢから−９５ｄＢの範囲のボリューム減衰量を調整する２段目のスイッチが複数設けられている。
【００３４】
ここで、１段目のラダー抵抗（ＲＸ１０、ＲＸ１１、ＲＸ１２〜Ｒ１５、Ｒ１６）の総抵抗値は、２０ＫΩに、２段目のラダー抵抗（ＲＹ２０、ＲＹ２１〜ＲＹ３２）の総抵抗値は、５０ＫΩに、Ｒｚの抵抗値は、５０ＫΩに、出力負荷抵抗ＲＬの抵抗値は、１００ＫΩにそれぞれ設定されている。
【００３５】
この電子ボリューム回路１ａは、１段目のラダーボリューム部２ａのスイッチ（ＳＸ１０、ＳＸ１１、ＳＸ１２、ＳＸ１３〜ＳＸ１５、ＳＸ１６、ＳＸ１７）のうちどれかを１つオンさせ、２段目のラダーボリューム部３ａのスイッチ（ＳＹ２０、ＳＹ２１、ＳＹ２２〜ＳＹ３２、ＳＹ３３）のうちどれかを１つオンさせ、更にスイッチＳ４１又はＳ４２をオンさせることにより、所望のボリューム減衰量まで減衰させた信号を出力端子５に出力させる回路である。ここで、スイッチＳ４１をオンさせると抵抗Ｒｚが２段目のラダーボリューム部３ａに接続される。
【００３６】
次に、電子ボリュームの等価回路図について説明する。図５は電子ボリュームの等価回路図である。
【００３７】
図５に示すように、電子ボリューム回路１０ａは、図４で示した１段目のラダーボリューム部２ａが１段目の第１の可変抵抗Ｒ１及び１段目の第２の可変抵抗Ｒ２で表され、図４で示した２段目のラダーボリューム部３ａが２段目の第１の可変抵抗Ｒ３、２段目の第２の可変抵抗Ｒ４、及び抵抗Ｒｚで表される。
【００３８】
そして、１段目の第１の可変抵抗Ｒ１は、入力端子４に接続され、２段目の第１の可変抵抗Ｒ３は、第１の可変抵抗Ｒ１と１段目の第２の可変抵抗Ｒ２の間に接続され、２段目の第２の可変抵抗Ｒ４は、２段目の第１の可変抵抗Ｒ３と抵抗Ｒｚの間に設けられ、出力端子５は、２段目の第１の可変抵抗Ｒ３と２段目の第２の可変抵抗Ｒ４の間に接続されている。出力負荷抵抗ＲＬは、出力端子５とＣＯＭ端子６の間に設けられている。１段目の第２の可変抵抗Ｒ２、抵抗Ｒｚ、出力負荷抵抗ＲＬ、及びＣＯＭ端子６は、接地（グランド）７に接地されている。なお、ＣＯＭ端子６を接地（グランド）７に接地しているが、１／２Ｖｃｃ（高電位側電源）に接続してもよい。
【００３９】
ここで、スイッチＳ４２をオンさせた場合の２段目の総抵抗（Ｒｔ２）は、式（１）で表せるが、スイッチＳ４１をオンさせた場合の２段目の総抵抗（Ｒｔ２ｂ）は、
Rt2b＝R3＋［（R4＋Rz）×RL］／（R4＋Rz＋RL）］・・・・・・・・・・・（式６）
で表される。
【００４０】
次に、電子ボリューム回路のボリューム減衰量設定値とボリューム減衰量誤差の関係について説明する。図６は電子ボリューム回路のボリューム減衰量設定値とボリューム減衰量誤差の関係を示す特性図である。
【００４１】
この特性図から明白なように、電子ボリューム回路１ａのボリューム減衰量誤差は、ボリューム減衰量設定値が−７ｄＢで最大値を有するが、その値は−０．０７５ｄＢと小さい。このことから、電子ボリューム回路１ａは、ボリューム減衰量設定値に対するボリューム減衰量の関係において良好なリニアリティー特性を有していることがわかる。
【００４２】
上述したように、本実施例の電子ボリューム回路では、入力端子４と出力端子５の間に、比較的小さい１ｄＢステップ幅でボリューム減衰量を調整する１段目のラダーボリューム部２ａ及び比較的大きな８ｄＢステップ幅でボリューム減衰量を調整する２段目のラダーボリューム部３ｂが縦続接続され、更に２段目のラダーボリューム部３ｂのラダー抵抗ＲＹ３２とＣＯＭ端子６の間にスイッチＳ４１のオン・オフで選択できる抵抗Ｒｚを設けているので、２段目の可変抵抗の抵抗値を２種類設定できる。従って、ボリューム減衰量設定値に対するボリューム減衰量誤差を小さくすることができる。
【００４３】
更に、１段のラダーボリューム部構成で、比較的小さなステップ幅である１ｄＢステップ幅の範囲でボリューム減衰量を調整する電子ボリューム回路に比べて、ラダー抵抗及びスイッチの数を１／３以下に削減することができるので、実施例１よりも電子ボリューム回路のチップ面積を縮小できる。
【００４４】
従って、ボリューム減衰量誤差を低減でき、且つ電子ボリューム回路を内蔵する半導体集積回路のチップコストを低減することができる。
【実施例３】
【００４５】
次に、本発明の実施例３に係わる半導体集積回路について、図面を参照して説明する。図７は電子ボリューム回路を示す回路構成図である。
【００４６】
以下、本実施例において、実施例２と同一構成部分には、同一符号を付してその部分の説明は省略し、異なる構成部分のみ説明する。
【００４７】
図７に示すように、電子ボリューム回路１ｂは、１段目のラダーボリューム部２ａ、２段目のラダーボリューム部３ａ、入力端子４、出力端子５、ＣＯＭ端子６、第１の出力負荷抵抗ＲＬ１、第２の出力負荷抵抗ＲＬ２、スイッチＳ５１、及びスイッチＳ５２から構成されている。
【００４８】
第１の出力負荷抵抗ＲＬ１は、出力端子５と第２の出力負荷抵抗ＲＬ２の間に設けられ、スイッチＳ５１及びＳ５２は、第１の出力負荷抵抗ＲＬ１とＣＯＭ端子６の間に並列接続され、スイッチＳ５２は、スイッチＳ５１とは逆動作（Ｓ５１がオンの時にオフし、Ｓ５１がオフの時にオンする）する。そして、第１の出力負荷抵抗ＲＬ１、第２の出力負荷抵抗ＲＬ２、及びスイッチＳ５１は、出力端子５とＣＯＭ端子６の間に縦続接続されている。
【００４９】
ここで、スイッチＳ５１は、２段目のラダーボリューム部３ａの１番目のスイッチＳ２０と同じ動作をする。そして、第１の出力負荷抵抗ＲＬ１の抵抗値は、１００ＫΩに、第２の出力負荷抵抗ＲＬ２の抵抗値は、４６１ＫΩにそれぞれ設定されている。
【００５０】
この電子ボリューム回路１ｂは、１段目のラダーボリューム部２ａのスイッチ（ＳＸ１０、ＳＸ１１、ＳＸ１２、ＳＸ１３〜ＳＸ１５、ＳＸ１６、ＳＸ１７）のうちどれかを１つオンさせ、２段目のラダーボリューム部３ａでは、スイッチＳ２０がオンした時に出力負荷抵抗値が第１の出力負荷抵抗ＲＬ１と第２の出力負荷抵抗ＲＬ２の和の５６１ＫΩに設定させ、２段目のラダーボリューム部３ａのスイッチ（ＳＹ２１、ＳＹ２２〜ＳＹ３２、ＳＹ３３）のうちどれかが１つオンした場合には、出力負荷抵抗値が第１の出力負荷抵抗ＲＬ１の１００ＫΩ（ＲＬ１）に設定させることにより、所望のボリューム減衰量まで減衰させた信号を出力端子５に出力させる回路である。
【００５１】
次に、電子ボリュームの等価回路図について説明する。図８は電子ボリュームの等価回路図である。
【００５２】
図８に示すように、電子ボリュームの等価回路１０ｂは、図７で示した１段目のラダーボリューム部２ａが１段目の第１の可変抵抗Ｒ１及び１段目の第２の可変抵抗Ｒ２で表され、図７で示した２段目のラダーボリューム部３ａが２段目の第１の可変抵抗Ｒ３及び２段目の第２の可変抵抗Ｒ４で表され、出力負荷抵抗は、２つの値（１００ＫΩ又は５６１ＫΩ）を選択できる可変型出力負荷抵抗ＲＬ３として表される。
【００５３】
そして、可変型出力負荷抵抗ＲＬ３は、出力端子５とＣＯＭ端子６の間に設けられ、接地（グランド）７に接地されている。
【００５４】
次に、電子ボリューム回路のボリューム減衰量設定値とボリューム減衰量誤差の関係について説明する。図９は電子ボリューム回路のボリューム減衰量設定値とボリューム減衰量誤差の関係を示す特性図である。
【００５５】
この特性図から明白なように、電子ボリューム回路１ｂのボリューム減衰量誤差は、ボリューム減衰量設定値が−１０３ｄＢで最大値を有するが、その値は−０．０７０ｄＢと小さく、ボリューム減衰量設定値が０〜−１６ｄＢの範囲では、−０．０１ｄＢ以下である。このことから、電子ボリューム回路１ｂは、ボリューム減衰量設定値に対するボリューム減衰量の関係において良好なリニアリティー特性を有していることがわかる。
【００５６】
上述したように、本実施例の電子ボリューム回路では、入力端子４と出力端子５の間に、比較的小さい１ｄＢステップ幅でボリューム減衰量を調整する１段目のラダーボリューム部２ａ及び比較的大きな８ｄＢステップ幅でボリューム減衰量を調整する２段目のラダーボリューム部３ｂが縦続接続され、更に第1の出力負荷抵抗ＲＬ１とＣＯＭ端子６の間にスイッチＳ２０のオン・オフで選択できる第２の出力負荷抵抗ＲＬ２を設けているので、出力負荷抵抗を２種類の抵抗値を設定できる可変型出力負荷抵抗ＲＬ３に変更することができる。従って、出力負荷抵抗を減衰量設定値に対する出力負荷抵抗を減衰量誤差を小さくすることができる。
【００５７】
更に、１段のラダーボリューム部構成で、比較的小さなステップ幅である１ｄＢステップ幅の範囲でボリューム減衰量を調整する電子ボリューム回路に比べて、ラダー抵抗及びスイッチの数を実施例２と同様に１／３以下に削減することができるので、実施例１よりも電子ボリューム回路のチップ面積を縮小できる。
【００５８】
従って、ボリューム減衰量誤差を低減でき、且つ電子ボリューム回路を内蔵する半導体集積回路のチップコストを低減することができる。
【００５９】
本発明は、上記実施例に限定されるものではなく、発明の趣旨を逸脱しない範囲で、種々、変更してもよい。
【００６０】
例えば、本実施例では、２段目のラダーボリューム部のボリューム減衰量を比較的ステップ幅の大きな８ｄＢステップ幅で調整しているが、他のステップ幅に調整してもよい。
【００６１】
更に、要求されるボリューム減衰量誤差により、１段目及び２段目のラダーボリューム部のボリューム減衰量を適宜異なるステップ幅でそれぞれ調整してもよい。
【図面の簡単な説明】
【００６２】
【図１】本発明の実施例１に係わる電子ボリューム回路を示す回路構成図。
【図２】本発明の実施例１に係わる電子ボリュームの等価回路。
【図３】本発明の実施例１に係わる電子ボリュームのボリューム減衰量設定値とボリューム減衰量誤差の関係を示す特性図。
【図４】本発明の実施例２に係わる電子ボリューム回路を示す回路構成図。
【図５】本発明の実施例２に係わる電子ボリュームの等価回路。
【図６】本発明の実施例２に係わる電子ボリュームのボリューム減衰量設定値とボリューム減衰量誤差の関係を示す特性図。
【図７】本発明の実施例３に係わる電子ボリューム回路を示す回路構成図。
【図８】本発明の実施例３に係わる電子ボリュームの等価回路。
【図９】本発明の実施例３に係わる電子ボリュームのボリューム減衰量設定値とボリューム減衰量誤差の関係を示す特性図。
【図１０】従来の電子ボリューム回路を示す回路構成図。
【符号の説明】
【００６３】
１、１ａ、１ｂ、１０１  電子ボリューム回路
２、２ａ  １段目のラダーボリューム部
３、３ａ  ２段目のラダーボリューム部
４、１０４  入力端子
５、１０５  出力端子
６、１０６  ＣＯＭ端子
７  接地（グランド）
８  １段目のボリュームによる減衰量
９  ２段目のボリュームによる減衰量
１０、１０ａ、１０ｂ  電子ボリュームの等価回路
１０２  ラダーボリューム部
Ｒ１  １段目の第１の可変抵抗
Ｒ２  １段目の第２の可変抵抗
Ｒ３  ２段目の第１の可変抵抗
Ｒ４  ２段目の第２の可変抵抗
Ｒ１０、Ｒ１１ａ、Ｒ１１ｂ、Ｒ１６ｂ、Ｒ１７ａ、Ｒ１７ｂ、ＲＸ１０、ＲＸ１１、ＲＸ１２、ＲＸ１５、ＲＸ１６  １段目のラダー抵抗
Ｒ２０、Ｒ２１、Ｒ２４、Ｒ２５、ＲＸ２０、ＲＸ２１、ＲＸ３２  ２段目のラダー抵抗
Ｒ１００、Ｒ１０１、Ｒ１０２、Ｒ１７８、Ｒ１７９、Ｒ１８０  ラダー抵抗
ＲＬ  出力負荷抵抗
ＲＬ１  第１の出力負荷抵抗
ＲＬ２  第２の出力負荷抵抗
ＲＬ３  可変型出力負荷抵抗
Ｒｚ  抵抗
Ｓ１０、Ｓ１１ａ、Ｓ１１ｂ、Ｓ１２ａ、Ｓ１６ｂ、Ｓ１７ａ、Ｓ１７ｂ、ＳＸ１０、ＳＸ１１、ＳＸ１２、ＳＸ１３、ＳＸ１５、ＳＸ１６、ＳＸ１７  １段目のスイッチ
Ｓ２０、Ｓ２１、Ｓ２２、Ｓ２４、Ｓ２５、ＳＹ２０、ＳＹ２１、ＳＹ２２、ＳＹ３２、ＳＹ３３  ２段目のスイッチ
Ｓ４１、Ｓ４２、Ｓ５１、Ｓ５２、Ｓ１００、Ｓ１０１、Ｓ１０２、Ｓ１０３、Ｓ１７８、Ｓ１７９、Ｓ１８０  スイッチ
【図１】
2005117489.tif 000003
【図２】
2005117489.tif 000004
【図３】
2005117489.tif 000005
【図４】
2005117489.tif 000006
【図５】
2005117489.tif 000007
【図６】
2005117489.tif 000008
【図７】
2005117489.tif 000009
【図８】
2005117489.tif 000010
【図９】
2005117489.tif 000011
【図１０】
2005117489.tif 000012